【誤訳訂正書】
【提出日】平成22年5月25日(2010.5.25)
【誤訳訂正１】
【訂正対象書類名】特許請求の範囲
【訂正対象項目名】請求項１
【訂正方法】変更
【訂正の内容】
【請求項１】
一方で、雄ネジ（ＦＭ）を形成した第１部分（Ｐ１）と、
第１部分に延伸し、
ｉ）第１外側面（ＳＥ１）、
ii）第１軸方向当接面（ＳＢ１）と第１内側面（ＳＩ１）とを持ち、その軸方向長さにわたって第１外側面（ＳＥ１）によって境界を定められる第１環状リップ（Ｌ１）、
及び、iii）第２当接面（ＳＢ２）、
からなる第２部分と、
からなる第１管要素（ＥＭ）と、
他方で、i）前記雄ネジ（ＦＭ）に合致し、そこにねじ込まれる雌ネジ（ＦＦ）、
ii）第３当接面（ＳＢ３）、前記第１内側面（ＳＩ１）に対向して配列された第２外側面（ＳＥ２）、そして、第２内側面（ＳＩ２）を有する第２環状リップ（Ｌ２）、
iii）第４軸方向当接面（ＳＢ４）、及び、iv）前記第４軸方向当接面（ＳＢ４）と前記雌ネジ（ＦＦ）の間に延伸し、前記第２外側面（ＳＥ２）と第４当接面（ＳＢ４）と共に、前記第１リップ（Ｌ１）に合致する環状凹部（ＬＯ）を規定する第３内側面（ＳＩ３）、からなる第２管要素（ＥＦ）と、からなり、
前記第１管要素（ＥＭ）は、前記第２当接面（ＳＢ２）に延伸する第４内側面（ＳＩ４）の範囲で、選択された局部的に環状の厚みを加えられた部分（ＳＡ１）からなり、
前記第２管要素（ＥＦ）は、その第３内側面（ＳＩ３）の選択された場所で、略前記第１外側面（ＳＥ１）と前記環状の厚みを加えられた部分（ＳＡ１）の領域に配置される内側環状溝（Ｇ１）からなり、
前記第１（ＥＭ）及び第２（ＥＦ）管要素は、前記第１リップ（Ｌ１）が、前記環状凹部（ＬＯ）に結合され、
その後、拡張可能な管継手に実行した塑性変形範囲での直径の拡張の間、前記第１外側面（ＳＥ１）の範囲内で、環状肩部（ＥＰ）が少なくとも溝（Ｇ１）の形状の一部を有し、それによってシール干渉接触部になるように、少なくとも、前記第２当接面（ＳＢ２）が第３当接面（ＳＢ３）に対して静止するか、前記第１当接面（ＳＢ２）が第４当接面（ＳＢ３）に対して静止するか、のどちらか一つのような方法で形成されることを特徴とする継手。
【誤訳訂正２】
【訂正対象書類名】特許請求の範囲
【訂正対象項目名】請求項６
【訂正方法】変更
【訂正の内容】
【請求項６】
前記頸部が約２°と約２０°の間の長手方向Ａに対してスロープで略連続して成長することを特徴とする請求項５に記載の継手。
【誤訳訂正３】
【訂正対象書類名】特許請求の範囲
【訂正対象項目名】請求項７
【訂正方法】変更
【訂正の内容】
【請求項７】
第２部分（Ｐ２）の最大に厚みを加えられた部分（ＳＡ１）は、当初、ドリフトの直径の関数として選択された値よりも少ないことを特徴とする請求項１乃至請求項６のいずれか一つに記載の継手。
【誤訳訂正４】
【訂正対象書類名】特許請求の範囲
【訂正対象項目名】請求項１０
【訂正方法】変更
【訂正の内容】
【請求項１０】
前記第２リップ（Ｌ２）の前記厚みを加えられた部分（ＳＡ２）は、当初、ドリフトの直径の関数として選択された値以下であることを特徴とする請求項１乃至請求項９のいずれか一つに記載の継手。
【誤訳訂正５】
【訂正対象書類名】特許請求の範囲
【訂正対象項目名】請求項１３
【訂正方法】変更
【訂正の内容】
【請求項１３】
前記曲線部分（Ｃ１、Ｃ２）は、当初、略同一の曲率半径を有することを特徴とする請求項１２に記載の継手。
【誤訳訂正６】
【訂正対象書類名】特許請求の範囲
【訂正対象項目名】請求項１５
【訂正方法】変更
【訂正の内容】
【請求項１５】
前記溝（Ｇ１）は略円筒形をした中間部分（ＰＣ）を有し、
前記二つの曲線部分（Ｃ１、Ｃ２）は、前記略円筒形をした中間部分（ＰＣ）によって分けられていることを特徴とする請求項１２乃至請求項１４のいずれか一つに記載の継手。
【誤訳訂正７】
【訂正対象書類名】特許請求の範囲
【訂正対象項目名】請求項１６
【訂正方法】変更
【訂正の内容】
【請求項１６】
管要素（ＥＭ、ＥＦ）の少なくとも一つは、グレートレングス管（Ｔ１、Ｔ２）の一部を形成し、
前記溝（Ｇ１）は、当初、溝（Ｇ１）の底部での材料断面積が前記管又は管両方（Ｔ１，Ｔ２）の共通部分の最小断面積と引張応力下での継手効率との積より大きくなるように選択される最大値を有する半径方向の深さ（Ｈ’）を持つことを特徴とする請求項１２乃至請求項１５のいずれか一つに記載の継手。
【誤訳訂正８】
【訂正対象書類名】特許請求の範囲
【訂正対象項目名】請求項２０
【訂正方法】変更
【訂正の内容】
【請求項２０】
前記第２（ＳＢ２）及び第３（ＳＢ３）当接面は、当初、それぞれ凸面及び凹面の円錐形の表面を持ち、前記ネジ止め後及び前記拡張前、前記第１内側面（ＳＩ１）と前記第２外側面（ＳＥ２）の間に、シール干渉接触部を可能にするように長手方向Ａに横切る平面に対して略同一の傾斜を有することを特徴とする請求項１９に記載の継手。
【誤訳訂正９】
【訂正対象書類名】特許請求の範囲
【訂正対象項目名】請求項２３
【訂正方法】変更
【訂正の内容】
【請求項２３】
前記雄（ＦＭ）及び雌（ＦＦ）ネジは、当初、約−３°と−１５°の負の角度を有するロードフランクを形成しているネジからなることを特徴とする請求項１乃至請求項２２のいずれか一つに記載の継手。
【誤訳訂正１０】
【訂正対象書類名】特許請求の範囲
【訂正対象項目名】請求項２４
【訂正方法】変更
【訂正の内容】
【請求項２４】
前記雄（ＦＭ）及び雌（ＦＦ）ネジは、当初、約＋１０°と＋３０°の間の正の角度を有するスタブフランクを形成しているネジからなることを特徴とする請求項１乃至請求項２３のいずれか一つに記載の継手。
【誤訳訂正１１】
【訂正対象書類名】特許請求の範囲
【訂正対象項目名】請求項２５
【訂正方法】変更
【訂正の内容】
【請求項２５】
前記雄（ＦＭ）及び雌（ＦＦ）ネジは、ネジ止め後及び拡張前に、約０．０５ｍｍと約０．３ｍｍの間のスタブフランクの間に軸方向の遊びを有することを特徴とする請求項２４に記載の継手。
【誤訳訂正１２】
【訂正対象書類名】特許請求の範囲
【訂正対象項目名】請求項２７
【訂正方法】変更
【訂正の内容】
【請求項２７】
前記面取り部が約８°と約１２°の間の長手方向に対して略連続したスロープを有することを特徴とする請求項２６に記載の継手。
【誤訳訂正１３】
【訂正対象書類名】特許請求の範囲
【訂正対象項目名】請求項３０
【訂正方法】変更
【訂正の内容】
【請求項３０】
前記第２管要素は略対称的な雌/雌型接続スリーブ（Ｍ）の一部を形成し、前記第１管要素（ＥＭ）はグレートレングス管の端部の一部を形成することを特徴とする請求項２８又は請求項２９に記載の継手。
【誤訳訂正１４】
【訂正対象書類名】特許請求の範囲
【訂正対象項目名】請求項３１
【訂正方法】変更
【訂正の内容】
【請求項３１】
前記スリーブ（Ｍ）は、
環状領域（Ｇ２）の外側面にわたって当初形成された二つの第２管要素（ＥＦ１、ＥＦ２）によってそれぞれ延伸された中央部分（ＰＣＭ）からなり、
環状領域（Ｇ２）の範囲内の前記スリーブ（Ｍ）の当初断面積が、前記管（Ｔ１，Ｔ２）の共通部分の断面積と継手効率との積より大きく、又は等しくなるように選択される厚みを減少した部分を有することを特徴とする請求項３０に記載の継手。
【誤訳訂正１５】
【訂正対象書類名】特許請求の範囲
【訂正対象項目名】請求項３２
【訂正方法】変更
【訂正の内容】
【請求項３２】
請求項１乃至請求項３１のいずれか一つに記載の拡張管継手に基づいて、
−少なくとも、第２当接面（ＳＢ２）が第３当接面（ＳＢ３）に対して静止し、
又は、第１当接面（ＳＢ１）が第４当接面（ＳＢ４）に対して静止し、
前記第１リップ（Ｌ１）が前記環状凹部（ＬＯ）に収容されるまで、前記第１（ＥＭ）及び第２（ＥＦ）管要素をネジ止めする、
そして、
−前記拡張可能な管継手は、前記第１外側面（ＳＥ１）の範囲内で、溝（Ｇ１）の形の少なくとも一部を有し、それと共にシール干渉接触部になる環状肩部（ＥＰ）を規定するように、塑性変形範囲での直径拡張にさらされる
ことからなることを特徴とする継手を生産する方法。
【誤訳訂正１６】
【訂正対象書類名】明細書
【訂正対象項目名】０００２
【訂正方法】変更
【訂正の内容】
【０００２】
これらの継手は通常グレートレングス管同士を接続するため、又は、グレートレングス管とスリーブを共に接続するために使われる。このように継手は一連のケースや管が形成されることを可能にする。
【誤訳訂正１７】
【訂正対象書類名】明細書
【訂正対象項目名】００１４
【訂正方法】変更
【訂正の内容】
【００１４】
この継手は、第１に、第１管要素が、第２当接面を拡張している第４内側面の範囲内で選択された局部的に環状の厚みを加えられた部分からなり、第２に、第２管要素が、その第３内側面の選択された場所で、略第１外側面及び環状の厚みを加えられた部分の範囲内に配置された内部環状溝からなり、第３に、第１及び第２管要素が、第１リップが環状凹部に置かれ、第２当接面が第３当接面に対して静止するか、及び/又は、その後、拡張可能な管継手に実行された塑性変形範囲での直径の拡張の間、第１外側面の範囲内で、少なくとも溝形状の部分を持ち、それによってシール干渉接触部になる環状肩部の形成を可能にするように第１当接面が第４当接面に対して静止するような方法で形成されているという事実によって特徴づけられる。
【誤訳訂正１８】
【訂正対象書類名】明細書
【訂正対象項目名】００１８
【訂正方法】変更
【訂正の内容】
【００１８】
−第１管要素は、例えば約５°と約３０°の間、好ましくは約１０°と約２０°の間のスロープで略連続的に、第２当接面の方向に増加する局部的に環状の厚みを加えられた部分を有する。
【誤訳訂正１９】
【訂正対象書類名】明細書
【訂正対象項目名】００１９
【訂正方法】変更
【訂正の内容】
【００１９】
−第１管要素は、その第１部分の範囲内で、雄ネジの反対側のその内部面にわたって、環状セットバックに規定される円錐形の頚部を有し、この頚部は、例えば、当初約２°と２０°の間のスロープで略連続して成長する。
【誤訳訂正２０】
【訂正対象書類名】明細書
【訂正対象項目名】００２０
【訂正方法】変更
【訂正の内容】
【００２０】
−第２部分の加えられた厚みの最大値は、当初、例えば、“ドリフト”として知られている点検ツールの直径の関数として選択された値よりも少ない。
【誤訳訂正２１】
【訂正対象書類名】明細書
【訂正対象項目名】００２３
【訂正方法】変更
【訂正の内容】
【００２３】
−第２リップの加えられた厚みは、当初、“ドリフト”の直径の関数として選択された値よりも少ない。
【誤訳訂正２２】
【訂正対象書類名】明細書
【訂正対象項目名】００２５
【訂正方法】変更
【訂正の内容】
【００２５】
−溝は、当初、略円筒形の中央部分によって分けることが可能である少なくとも二つの曲面の部分からなり、この場合、この部分は、当初、例えば約２ｍｍと約２０ｍｍの間で、略同一の曲率半径を有する。もし、少なくとも一つの管要素がグレートレングス管の一部を形成するならば、溝は、当初、溝の底部での材料断面積が結合されている第１及び第２管要素での管の共通部分の最小断面積と引張応力下での継手効率との積より大きくなるように選択される最大値を有する半径方向の深さを持つ。用語“管の共通部分” はその二つの端部から遠い中央部分を示し、略一定の直径を有している。
【誤訳訂正２３】
【訂正対象書類名】明細書
【訂正対象項目名】００２９
【訂正方法】変更
【訂正の内容】
【００２９】
−第２及び第３当接面は、ネジ工程の（そして好ましくは一度第２当接面が第３当接面の上に静止する）後、そして拡張の前に、シール干渉接触部を第１内側面及び第２外側面の間に与えるように、長手方向に横切った平面に対して略同一の傾斜を有するそれぞれ凸面及び凹面の円錐形の表面を有する。この場合、傾斜は、例えば、当初、約＋５°と約＋３０°の間である。
【誤訳訂正２４】
【訂正対象書類名】明細書
【訂正対象項目名】００３０
【訂正方法】変更
【訂正の内容】
【００３０】
−雄及び雌ネジは、約−３°と約−１５°の間の負の角度を有するロードフランクを形成するネジ山からなる。
【誤訳訂正２５】
【訂正対象書類名】明細書
【訂正対象項目名】００３１
【訂正方法】変更
【訂正の内容】
【００３１】
−雄及び雌ネジは、約＋１０°と約３０°の間の正の角度を有するスタブフランクを形成するネジ山からなり、この場合、雄及び雌ネジは、ネジ止め後で拡張前に、約０．０５ｍｍと約０．３ｍｍの間の挿入面の間に軸方向の間隙を有する。
【誤訳訂正２６】
【訂正対象書類名】明細書
【訂正対象項目名】００３２
【訂正方法】変更
【訂正の内容】
【００３２】
−第１管要素は、当初、第１外側面の範囲内でその第１部分の前に、内部の方へ、第１部分の方へ、局部環状セットバックを規定する円錐形の面取り部を有する。この場合、面取り部は、当初約８°と約１２°の間の長手方向に対して略連続したスロープになる。
【誤訳訂正２７】
【訂正対象書類名】明細書
【訂正対象項目名】００３４
【訂正方法】変更
【訂正の内容】
【００３４】
−第２管要素は、グレートレングス管又はその他の略対称的な雌/雌型接続スリーブの一部を形成する（第１管要素は、この場合、グレートレングス管の先端で結びつけられる）。スリーブの場合、前記スリーブは、外側面にわたって当初形成され、二つの第２管要素によってそれぞれ両側に延伸された中央部分からなり、この領域の範囲内のスリーブの当初断面積が、第１管要素に形成された端部で、管の共通部分の断面積と継手効率との積より大きく、又は等しくなるように選択される厚みを減少した部分を有する。
【誤訳訂正２８】
【訂正対象書類名】明細書
【訂正対象項目名】００４１
【訂正方法】変更
【訂正の内容】
【００４１】
図１は長手方向の断面で、本発明による拡張可能なネジ継手の形態の部分を示す図表である。
【誤訳訂正２９】
【訂正対象書類名】明細書
【訂正対象項目名】００４２
【訂正方法】変更
【訂正の内容】
【００４２】
図２は長手方向の断面で、ネジ止め及び拡張前の、雌円錐形ネジと、それに合致する雄円錐形ネジの部分を示す図表である。
【誤訳訂正３０】
【訂正対象書類名】明細書
【訂正対象項目名】００４３
【訂正方法】変更
【訂正の内容】
【００４３】
図３は長手方向の断面で、図１の拡張可能なネジ継手の第１管の雄端部分を示す図表である。
【誤訳訂正３１】
【訂正対象書類名】明細書
【訂正対象項目名】００４４
【訂正方法】変更
【訂正の内容】
【００４４】
図４は長手方向の断面で、図１の拡張可能なネジ継手の第２管の雌端部分を示す図表である。
【誤訳訂正３２】
【訂正対象書類名】明細書
【訂正対象項目名】００４５
【訂正方法】変更
【訂正の内容】
【００４５】
図５は長手方向の断面で、最初のネジ止めステップの間に図３及び図４の雄及び雌の管先端に生成された力を示す図表である。
【誤訳訂正３３】
【訂正対象書類名】明細書
【訂正対象項目名】００４６
【訂正方法】変更
【訂正の内容】
【００４６】
図６は長手方向の断面で、第２のネジ止めステップの間に図３及び図４の雄及び雌の管端部に生成された力を示す図表である。
【誤訳訂正３４】
【訂正対象書類名】明細書
【訂正対象項目名】００４７
【訂正方法】変更
【訂正の内容】
【００４７】
図７は長手方向の断面で、塑性変形による拡張段階の間に図３及び図４の雄及び雌の管端部に生成された力を示す図表である。
【誤訳訂正３５】
【訂正対象書類名】明細書
【訂正対象項目名】００４８
【訂正方法】変更
【訂正の内容】
【００４８】
図８は長手方向の断面で、拡張ステップ後の図３及び図４の雄及び雌の管端部に起こった変形を示す図表である。
【誤訳訂正３６】
【訂正対象書類名】明細書
【訂正対象項目名】００４９
【訂正方法】変更
【訂正の内容】
【００４９】
図９は長手方向の断面で、本発明による対称的に配置された二つの拡張可能なネジ継手の組立部品の形態部分を示す図表である。
【誤訳訂正３７】
【訂正対象書類名】明細書
【訂正対象項目名】００５０
【訂正方法】変更
【訂正の内容】
【００５０】
図１０は長手方向の断面で、本発明による拡張可能なネジ継手の第１管の雄端部分の他の形態部分を示す図表である。
【誤訳訂正３８】
【訂正対象書類名】明細書
【訂正対象項目名】００５１
【訂正方法】変更
【訂正の内容】
【００５１】
図１１は長手方向の断面で、本発明による拡張可能なネジ継手の第２管の雌端部分の他の形態部分を示す図表である。
【誤訳訂正３９】
【訂正対象書類名】明細書
【訂正対象項目名】００５２
【訂正方法】変更
【訂正の内容】
【００５２】
図１２は長手方向の断面で、ネジ止め段階の後、図１０及び図１１の雄及び雌管端部分の位置関係を示す図表である。
【誤訳訂正４０】
【訂正対象書類名】明細書
【訂正対象項目名】００５５
【訂正方法】変更
【訂正の内容】
【００５５】
序説で記載されているように、本発明によるネジ管継手により、ケースや一連の管は、グレートレングス金属管を一緒に接続、又は他のグレートレングス管及びスリーブを一緒に接続することによって、形成される。
【誤訳訂正４１】
【訂正対象書類名】明細書
【訂正対象項目名】００５６
【訂正方法】変更
【訂正の内容】
【００５６】
本発明による継手の第１形態を説明するために、まず図１から図８を参照する。この例は、特に図１に部分的に記載されているように、継手は２つの管Ｔ１及びＴ２を接続させる。２つの管は、回転によって生成されるＸＸ軸を持ち、とても長い、すなわち数メートルの長さがあり、さらに特定すると、第１管Ｔ１の雄型端部ＥＭ（又は雄管要素）及び第２管Ｔ２の雌型端部ＥＦ（又は雌管要素）がある。図の形態で示されているように、管Ｔ１及びＴ２は、例えば、共通の部分を持ち、約１９３．６８ｍｍ（又は７  ５/８インチ）に等しい初期外部直径を有している。管の共通部分は二つの端部から離れた中間部分で、略一定の直径を有している。
【誤訳訂正４２】
【訂正対象書類名】明細書
【訂正対象項目名】００６２
【訂正方法】変更
【訂正の内容】
【００６２】
第２部分Ｐ２は管Ｔ１の端部で第１部分Ｐ１から延びている。図３で示すように、まず、当初略平面であり、管Ｔ１の長手方向Ａ（ＸＸに平行）に垂直である第１軸当接面ＳＢ１と、当初第１部分Ｐ１の方向へ第１軸当接面ＳＢ１に対し略垂直な様に延びており、管Ｔ１の内側の方へ（すなわち雄ネジＦＭの反対側へ）適応されている第１内側面ＳＩ１と、そして、第１部分Ｐ１の方へ第１軸当接面ＳＢ１を拡張しており、管Ｔ１の外側の方へ適応されている第１外側面ＳＥ１の１部分を構成している第１環状リップ（又は環状小片）Ｌ１からなる。雄要素ＥＭの第２部分Ｐ２の第１外側面ＳＥ１は雄ネジＦＭの範囲まで第１当接面ＳＢ１から拡張している。第２部分Ｐ２は、第１内側面ＳＩ１に拡張し、管Ｔ１内を循環している流体（又はガス）と接触するように少なくとも（４番目の）部分的に円筒形の内側面ＳＩ４によって拡張されている第２当接面ＳＢ２からもなる。第１軸当接面ＳＢ１、第１内側面ＳＩ１及び第２当接面ＳＢ２は、当業者が“雄リベート”と呼んでいるものに規定する。
【誤訳訂正４３】
【訂正対象書類名】明細書
【訂正対象項目名】００６６
【訂正方法】変更
【訂正の内容】
【００６６】
それは、当初略平面で管Ｔ２の長手方向Ａに垂直な第４軸当接面ＳＢ４と、管Ｔ２の内部の方へ向けられ、第４軸当接面ＳＢ４を第１部分Ｐ３の方へ拡張している部分的に円筒形の第３内側面ＳＩ３とからも構成される。以下に参照されるように、第３内側面ＳＩ３の一部は、第２外側面ＳＥ２と第４当接面ＳＢ４とともに、管Ｔ１及びＴ２をネジ止めしている間、それを受けられるように第１リップＬ１と合致している環状凹部（又は溝）ＬＯを規定する。
【誤訳訂正４４】
【訂正対象書類名】明細書
【訂正対象項目名】００６９
【訂正方法】変更
【訂正の内容】
【００６９】
環状溝Ｇ１は少なくとも第３内側面ＳＩ３の部分に規定される。好ましくは、最初に二つの曲線部分ＰＣ１及びＰＣ２によって各々の側に拡張された略円筒形の中間部分ＰＣを構成している。好ましくは、これらの曲線部分Ｃ１及びＣ２は、当初約２ｍｍと約２０ｍｍの間で事実上湾曲の一致した半径を有する。
【誤訳訂正４５】
【訂正対象書類名】明細書
【訂正対象項目名】００７０
【訂正方法】変更
【訂正の内容】
【００７０】
例えば、溝Ｇ１は、約２ｍｍに等しい軸の長さＰＲ’、約１ｍｍに等しい半径方向の深さＨ’、そして約５ｍｍに等しい曲率半径を有している曲線部分Ｃ１及びＣ２にわたって延びている中間部分ＰＣからなる。溝Ｇ１の半径方向の深さＨ’は、前記溝の対称平面ＰＳＧの領域で、通常管Ｔ２の厚みによって制限されており、その厚みはネジ継手の臨界断面積を計算するために使用される最小限の厚みよりも少なくてはならない。より特定すると、半径方向の深さＨ’の最大値は、溝Ｇ１の底の材料の断面積が管Ｔ１又はＴ２の共通部分（又はもしそれらが異なる場合、これら二つの部分のより小さい方）の断面積と引張応力下での継手効率との積より大きくなるように選択される。ネジ要素の臨界断面積と管（Ｔ１、Ｔ２）の断面積の間の比率は、接続（又は継手）の効率を特徴づけ、そしてそれは管の断面積と共に、一連の管をデザインするための入力データの項目になる。
【誤訳訂正４６】
【訂正対象書類名】明細書
【訂正対象項目名】００７１
【訂正方法】変更
【訂正の内容】
【００７１】
この構成では、溝Ｇ１の対称平面ＰＳＧは、凹部（又は溝）ＬＯの底を規定している第４軸当接面ＳＢ４から選択された軸距離Ｄで配列されている。例えば、前述した値で、距離Ｄは約５．６１ｍｍに等しい。さらに、ネジ止め後、溝Ｇ１の中間部分ＰＣは、略厚みを加えられた部分ＳＡ１に対向して配置される。
【誤訳訂正４７】
【訂正対象書類名】明細書
【訂正対象項目名】００７５
【訂正方法】変更
【訂正の内容】
【００７５】
好ましくは、図３及び図５乃至図７に示されているように、この厚みを加えられた部分ＳＡ１は、溝Ｇ１の中央部分ＰＣ１の拡張領域に略一定であり、それから減少する。この減少は、第１部分Ｐ１の方向に略連続していることが好ましい。それは、例えば、約５°と約３０°の間、より好ましいのは約１０°と約２０°の間、さらに好ましいのは約１２°、の長手方向Ａに対した角度α９で生じる。
【誤訳訂正４８】
【訂正対象書類名】明細書
【訂正対象項目名】００８２
【訂正方法】変更
【訂正の内容】
【００８２】
図６に示されているように、第３ステップでは、ネジ止めの工程が継手の軸方向で第１リップＬ１を半径方向に前もって押圧するためにさらに続けられる。この半径方向に前もって押圧することは、長手方向Ａに垂直な平面に対して選択された角度で第２当接面ＳＢ２及び第３当接面ＳＢ３の略同一の傾斜により推進される。
【誤訳訂正４９】
【訂正対象書類名】明細書
【訂正対象項目名】００８３
【訂正方法】変更
【訂正の内容】
【００８３】
好ましくは、図３及び図４で示されているように、第２当接面ＳＢ２及び第３当接面ＳＢ３は、当初、それぞれ凸部及び凹部円錐面で略等しい傾斜を有する。“略同一の傾斜”という語は、現在の文脈で、互いに等しい傾斜で、約±５°以内のことを示す。この一般的な傾斜は約＋５°の角度α４と約＋３０°の角度α４の間が好ましい。さらに約１０°とほぼ同等がより好ましい。この傾斜により、第１内側面ＳＩ１と第２外側面ＳＥ２との間の干渉接続部は拡張段階より前になる。この干渉は、拡張段階より前に、特に、ガスのシールを形成することができる。
【誤訳訂正５０】
【訂正対象書類名】明細書
【訂正対象項目名】００８６
【訂正方法】変更
【訂正の内容】
【００８６】
第４ステップでは、最大直径が管Ｔ１とＴ２の初期内部直径ＤＩ（図１で示されている内部半径ＲＩの二倍と同等）よりも大きく、そしてその最終内部直径に略同等となるように、例えば円錐形の頭部をもつボールのような直径拡張ツールが、管Ｔ１とＴ２の一つに軸の方向に導入される。導入の方向の選択は実際上の重要性はない。ボールはそれゆえに雄端部ＥＭから、雌端部ＥＦ、又はvice versa、の方へ軸方向に移動される。
【誤訳訂正５１】
【訂正対象書類名】明細書
【訂正対象項目名】００８９
【訂正方法】変更
【訂正の内容】
【００８９】
直径の拡張は塑性変形範囲で生じる。生成された塑性変形が管要素の降伏点を増加するとき、このような変形に耐えることのできる金属が使用されなければならない。例えば最初に降伏点３１０ＭＰＡ（４５ＫＳＩ）を有している管に対して、拡張後にこの点は３８０ＭＰａ（５５ＫＳＩ）に増加する。
【誤訳訂正５２】
【訂正対象書類名】明細書
【訂正対象項目名】００９８
【訂正方法】変更
【訂正の内容】
【００９８】
第１リップの曲率をさらに促進するため、そして、肩またはかかと部ＥＰと溝Ｇ１の間の接触をさらに補強するために、図３及び図５から図７で示されるように、第１外側面ＳＥ１と第１部分Ｐ１の前の範囲内で、管Ｔ１の内部に向かってのセットバックＤＣ１が生成される。このセットバックＤＣ１は略連続することが好ましい。このように、まず円錐形の面取り部を形成する。それは、例えば、角度α６で長手方向Ａと比較して約８°と約１２°の間である。さらに約１０°と同等が好ましい。例えば、このセットバックＤＣ１は第１軸当接面ＳＢ１（長手方向Ａで）から約７．８ｍｍ離れて始まる。
【誤訳訂正５３】
【訂正対象書類名】明細書
【訂正対象項目名】０１０１
【訂正方法】変更
【訂正の内容】
【０１０１】
管Ｔ１におけるボールの進行を妨げないために、頸部は好ましくは略連続的であり、角度α７は約２°と約２０°の間が好ましく、さらに好ましいのは約５°である。
【誤訳訂正５４】
【訂正対象書類名】明細書
【訂正対象項目名】０１０３
【訂正方法】変更
【訂正の内容】
【０１０３】
この接近は、第２リップＬ２の第２内部面ＳＩ２の範囲内と第３当接面ＳＢ３の近辺で、管Ｔ２の内部方向にある局部的に環状に厚みを加えられた部分ＳＡ２の存在によって強調されるかもしれない。好ましくは、図４乃至図７に示されているように、この厚みを加えられた部分ＳＡ２は、第２リップＬ２の拡張ゾーンで略一定であり、それから減少される。この減少は略連続することが好ましい。このように、それは、当初円錐形の面取り部を形成する。それは、例えば、長手方向Ａに対して、約８°と約１２°の間の角度α８であり、さらに好ましいのは約１０°である。
【誤訳訂正５５】
【訂正対象書類名】明細書
【訂正対象項目名】０１０６
【訂正方法】変更
【訂正の内容】
【０１０６】
ボールの通過後にネジ継手の要素のはね返り移動は、問題となる塑性変形と比較してごくわずかであることに気づくことも重要である。
【誤訳訂正５６】
【訂正対象書類名】明細書
【訂正対象項目名】０１０７
【訂正方法】変更
【訂正の内容】
【０１０７】
本発明による、対称的に配置された、２つの継手の組立の形態を説明するために、図９を参照する。この例では、２つの継手により、２つのグレートレングス管Ｔ１及びＴ２が接続スリーブ型管要素Ｍによって接続される。このスリーブＭは、この場合、管１及び管２の長手方向Ａに垂直に交わる対称平面ＰＳＭに対して対称的な形状である。これはまた雌/雌タイプでもある。
【誤訳訂正５７】
【訂正対象書類名】明細書
【訂正対象項目名】０１１０
【訂正方法】変更
【訂正の内容】
【０１１０】
この三日月形Ｇ２により、スリーブＭの厚みがその最大厚み部分で減少され、それによって、拡張圧力及び力が減少される。また、拡張後（回転によって生成された外側面で）略直線の外観で同時に継手を供給している間、変形により、様々な当接面（ＳＢ１からＳＢ４）及び支持面の範囲で上手くコントロールされる。それによって、対称平面ＰＳＭの範囲内でのスリーブＭの断面積は、第１管要素が形成された端部で、管Ｔ１及び管Ｔ２の共通部分の断面積と継手効率との積より大きいもしくは同等なるように選択されなければならない。
【誤訳訂正５８】
【訂正対象書類名】明細書
【訂正対象項目名】０１１１
【訂正方法】変更
【訂正の内容】
【０１１１】
三日月形は、略２つの向かい合った第２リップＬ２の２つの第３軸当接面ＳＢ３の間に拡張しているのが好ましい。しかしながら、それは、特に、２つの雌ネジの最後のネジ山の間で、より遠い距離にわたって拡張するかもしれない。最後のネジ山は、この場合、第３当接面ＳＢ３の側である。
【誤訳訂正５９】
【訂正対象書類名】明細書
【訂正対象項目名】０１１５
【訂正方法】変更
【訂正の内容】
【０１１５】
この形態は図１乃至図８を参照して上記に記載されたものに対して多数の類似点を有している。従って、共通要素は同一の参照番号によって示される。さらに、形状が略同一の部材及び略同一の機能の動作については再び記述しない。
【誤訳訂正６０】
【訂正対象書類名】明細書
【訂正対象項目名】０１１６
【訂正方法】変更
【訂正の内容】
【０１１６】
さらに、この形態は、前の形態のように、回転によって生成される軸ＸＸを有する第１グレートレングス管Ｔ１の雄型端部ＥＭ（又は雄管要素）と、回転によって生成される軸ＸＸを有する第２グレートレングス管Ｔ２の雌型端部ＥＦ（又は雌管要素）との接続だけを可能にするのではなく、図９を参照して上述した２つの対称的に配列した継手の結合と、接続スリーブ型管要素Ｍによる２つのグレートレングス管Ｔ１とＴ２の接続も可能にする継手に関する。
【誤訳訂正６１】
【訂正対象書類名】明細書
【訂正対象項目名】０１２０
【訂正方法】変更
【訂正の内容】
【０１２０】
好ましくは、図１０乃至図１２に示されているように、第２当接面ＳＢ２及び第３当接面ＳＢ３は、略同一の初期傾斜を有している。この共通の傾斜は、約＋５°の角度α４と約３０°の角度α４の間が好ましい。さらに好ましいのは、約１０°である。
【誤訳訂正６２】
【訂正対象書類名】明細書
【訂正対象項目名】０１３７
【訂正方法】変更
【訂正の内容】
【０１３７】
さらに加えて、前述の形態のように、第１リップＬ１の湾曲を促進し、肩部又はかかと部ＥＰと溝Ｇ１の間の接触を補強するために、第１外側面ＳＥ１は、第１部分Ｐ１のちょうど前に、管Ｔ１の内部の方へ好ましくは略連続した第１セットバックＤＣ１を構成する。この第１セットバックＤＣ１は当初円錐形の面取り部を形成し、約８°と約１２°の間、更に好ましいのは約１０°の長手方向Ａに対する角度α６を有している。例えば、このセットバックＤＣ１は約８．１ｍｍ（長手方向Ａで）第１軸当接面ＳＢ１から離れた所で始まる。
【誤訳訂正６３】
【訂正対象書類名】明細書
【訂正対象項目名】０１３８
【訂正方法】変更
【訂正の内容】
【０１３８】
又前述の形態のように、第４内側面ＳＩ４は、管Ｔ１の内部の方向で、第２当接面ＳＢ２の付近に、局部的に環状に厚みを加えられた部分ＳＡ１を構成する。好ましくは、図１０及び図１２に示されているように、この厚みを加えられた部分ＳＡ１は、溝Ｇ１の中央部分ＰＣの拡張ゾーンで略一定であり、それから、好ましくは略連続して、第１部分Ｐ１の方向へ減少する。これは、例えば、約５°と約３０°の間、さらに好ましいのは約１０°と約２０°の間、そしてさらに好ましいのは１２°の長手方向Ａに対する角度α９である。
【誤訳訂正６４】
【訂正対象書類名】明細書
【訂正対象項目名】０１３９
【訂正方法】変更
【訂正の内容】
【０１３９】
同様に、第２リップＬ２の第５内側面ＳＩ５は、前述の形態のように、第３当接面の付近で、管Ｔ２の内部の方向に局部的に環状に厚みを加えられた部分ＳＡ２を構成する。好ましくは、図１１及び図１２に示されているように、この厚みを加えられた部分ＳＡ２は、第２リップＬ２の拡張ゾーンで略一定であり、それから好ましくは略連続して減少する。このように当初円錐形の面取り部を形成する。それは、例えば、約８°と約１２°の間、さらに好ましいのは約１０°の長手方向Ａに対する角度α８である。この厚みを加えられた部分ＳＡ２は、好ましくは厚みを加えられた部分ＳＡ１に依存し、前述の厚みを加えられた部分ＳＡ１より少ないのが好ましい。例えば、この厚みを加えられた部分ＳＡ２は約０．３ｍｍと約０．８ｍｍの間で、さらに好ましいのは約０．５ｍｍである。
【誤訳訂正６５】
【訂正対象書類名】明細書
【訂正対象項目名】０１４０
【訂正方法】変更
【訂正の内容】
【０１４０】
図１０乃至図１２を参照して上述したタイプの拡張可能な継手から拡張継手の形成は、図５〜８を参照して記載されたそれと略同一である。
【誤訳訂正６６】
【訂正対象書類名】明細書
【訂正対象項目名】０１４６
【訂正方法】変更
【訂正の内容】
【０１４６】
管Ｔ１及びＴ２のひとつに、例えば、円錐形のヘッドボールのような直径拡張ツールの軸方向への導入によって塑性変形範囲で継手の直径の拡張からなる第４ステップは、上述されていることと同一である。
【誤訳訂正６７】
【訂正対象書類名】明細書
【訂正対象項目名】０１５５
【訂正方法】変更
【訂正の内容】
【０１５５】
【図１】長手方向の断面で、本発明による拡張可能なネジ継手の形態の部分を示す図表である。
【図２】長手方向の断面で、ネジ止め及び拡張前の、雌円錐形ネジと、それに合致する雄円錐形ネジの部分を示す図表である。
【図３】長手方向の断面で、図１の拡張可能なネジ継手の第１管の雄端部分を示す図表である。
【図４】長手方向の断面で、図１の拡張可能なネジ継手の第２管の雌端部分を示す図表である。
【図５】長手方向の断面で、最初のネジ止めステップの間に図３及び図４の雄及び雌の管先端に生成された力を示す図表である
【図６】長手方向の断面で、第２のネジ止めステップの間に図３及び図４の雄及び雌の管端部に生成された力を示す図表である。
【図７】長手方向の断面で、塑性変形による拡張段階の間に図３及び図４の雄及び雌の管端部に生成された力を示す図表である。
【図８】長手方向の断面で、拡張ステップ後の図３及び図４の雄及び雌の管端部に起こった変形を示す図表である。
【図９】長手方向の断面で、本発明による対称的に配置された二つの拡張可能なネジ継手の組立部品の形態部分を示す図表である。
【図１０】長手方向の断面で、本発明による拡張可能なネジ継手の第１管の雄端部分の他の形態部分を示す図表である。
【図１１】長手方向の断面で、本発明による拡張可能なネジ継手の第２管の雌端部分の他の形態部分を示す図表である。
【図１２】長手方向の断面で、ネジ止め段階の後、図１０及び図１１の雄及び雌管端部分の位置関係を示す図表である。